(57)【要約】【課題】発光ダイオードの色温度制御器及びその色温度制御方法を提供する。【解決手段】本発明の色温度制御器は、発光ダイオードイルミネーション中に応用され、それぞれ、複数のタッチスイッチ及び制御部材を含み、該タッチスイッチ上に設けるカラーパターン上の任意の色が使用者により選択された後、該色の信号を該制御部材に出力し、該制御部材は、対応するパルス幅変調信号を出力し、該発光ダイオードイルミネーション内の三色発光ダイオードの電流及び電圧のうちの１つを制御し、該発光ダイオードイルミネーションに該色の信号と同一の色温度変化を発生させ、従来の発光ダイオードの色温度制御方面の不足を改善し、該発光ダイオードイルミネーションに色の変化に柔軟性を持たせる。【選択図】図１
2010056085.tif 000002
【特許請求の範囲】
【請求項１】
発光ダイオードイルミネーション中に応用する発光ダイオードの色温度制御器であって、該色温度制御器は、複数のタッチスイッチと、制御部材と、電源供給部材と、を含み、
前記複数のタッチスイッチの上にそれぞれカラーパターンをそれぞれ設け、使用者に該カラーパターン上に任意の色を選択させ、該色の信号を、該タッチスイッチを介して出力可能にすることに用い、
前記制御部材は、該タッチスイッチが出力する該色の信号を受信し、該色の信号に基づき対応するパルス幅変調信号を出力することに用い、該発光ダイオードイルミネーション内の三色発光ダイオードの電流及び電圧のうちの１つを制御し、該発光ダイオードに該色の信号と同一の色温度変化を発生させることに用い、
前記電源供給部材は、該色温度制御器の関連電子部材が必要とする電源を共有することに用いる発光ダイオードの色温度制御器。
【請求項２】
該制御部材に他の発光ダイオードイルミネーションの複数の三色発光ダイオードを選択させ、該三色発光ダイオードの色温度制御を行わせる選択指令を出力することに用いる選択キーと、
該制御部材が発する表示指令を受信し、該表示指令に基づき、該選択キーが選択する該三色発光ダイオードを表示する複数の表示部材と、
該制御部材に該三色ダイオードの電流及び電圧のうちの１つを再配置させ、該電流及び電圧のうちの１つを所定レベルに到達させる再配置指令を出力することに用いる再配置キーと、
を更に含む請求項１記載の発光ダイオードの色温度制御器。
【請求項３】
前記タッチスイッチは、複数のコンデンサ式タッチスイッチである請求項２記載の発光ダイオードの色温度制御器。
【請求項４】
前記カラーパターンの分布は、国際照明委員会ＣＩＥが制定する１９３１ＸＹＺ色彩空間に基づき配置される請求項２記載の発光ダイオードの色温度制御器。
【請求項５】
前記選択キーは、選択を循環できるプッシュキーであり、該三色発光ダイオードの選択を循環する請求項２記載の発光ダイオードの色温度制御器。
【請求項６】
前記表示部材が複数の発光ダイオードである請求項２記載の発光ダイオードの色温度制御器。
【請求項７】
色温度制御器を発光ダイオードイルミネーション中に応用し、且つ該色温度制御器がそれぞれ複数のタッチスイッチと制御部材を含み、該制御部材が該発光ダイオードに対して色温度変化を発生する時、以下のステップ：
該使用者が選択する該カラーパターン上の任意の色を受信し、該タッチスイッチを介して該カラーの信号を出力し；
該色の信号に基づき、その対応するパルス幅変調信号を出力し、該発光ダイオードイルミネーション内の該三色発光ダイオードの電流及び電圧のうちの１つを制御し、該発光ダイオードイルミネーションに該色の信号と同一の色温度変化を発生させる；
を行う発光ダイオードの色温度制御方法。
【請求項８】
前記制御部材は、複数の三色発光ダイオードに対して選択を行おうとする時、該使用者が選択した該タッチスイッチ上に設けるカラーパターン上の任意の色を受信し、該タッチスイッチを介して該色信号を出力する前、該色温度制御器上に設ける選択キーを介して、該選択キーの選択信号を受信し、該三色発光ダイオードの色温度制御を行う請求項７記載の発光ダイオードの色温度制御方法。
【請求項９】
前記制御部材は、選択した該三色発光ダイオードに対して数量表示を行おうとする時、表示指令を出力し、該色温度制御器上に設ける複数の表示部材に、該選択キーが選択する該三色発光ダイオードの数量を対応して表示させることができる請求項８記載の発光ダイオードの色温度制御方法。
【請求項１０】
前記制御部材が該三色発光ダイオードに対して再配置を行おうとする時、該色温度制御器上に設ける再配置キーを介して、該三色発光ダイオードの電流及び電圧のうちの１つを再配置し、該電流及び電圧のうちの１つを所定のレベルに到達させることができる請求項８記載の発光ダイオードの色温度制御方法。
【発明の詳細な説明】
【技術分野】
【０００１】
本発明は、発光ダイオードの色温度制御器及びその色温度制御方法に関し、特に、複数のタッチスイッチ（例えば、コンデンサ式タッチスイッチ）がカラーパターンを対応して設け、制御部材を利用し、該タッチスイッチを介して出力する該カラーの信号を受信し、且つ該カラーの信号に基づき、対応するパルス幅変調信号を出力し、発光ダイオードイルミネーション内の三色（例えば、赤（Ｒ）緑（Ｇ）青（Ｂ））の発光ダイオードの電流及び電圧のうちいずれか１つを制御し、該発光ダイオードイルミネーションの色温度制御を達成することに関する。
【背景技術】
【０００２】
照明において、発光ダイオード（light-emitting diode, LED）は、現在使用される蛍光灯（tubular fluorescent lamp, TFL）又は高圧ナトリウム灯（high pressure sodium lamp, HPS）等の光源システムに比べて、高光電変換効率で、体積が小さく、寿命が長く、直流電を使用し、波長が固定され、発熱が低い等の利点を有し、更に環境保全に適合している。従って、該発光ダイオードは、徐々に市場で最も主流の照明装置になってきている。
【０００３】
しかしながら、従来の発光ダイオードイルミネーションは、その機能は、ほぼ明るさを調整するだけであり、該発光ダイオードイルミネーションに明るさに異なる変化を持たせ、色温度方面に対する調整がほぼ行われておらず、該発光ダイオードイルミネーションの色の変化に柔軟性がなくなっている。従って、該発光ダイオードイルミネーションは、それぞれ装飾、環境設定、雰囲気作成及び感情表現において何れも不足している。
【０００４】
従って、本発明者は、従来の発光ダイオードイルミネーションの色温度制御方面の不足に鑑み、本願の発光ダイオードの色温度制御器及びその色温度制御方法を開発する。
【先行技術文献】
【特許文献】
【０００５】
【特許文献１】特開２００６−２１００４５号公報
【発明の概要】
【発明が解決しようとする課題】
【０００６】
本発明の目的は、発光ダイオードの色温度制御器及びその色温度制御方法を提供し、該色温度制御器は、それぞれ、複数のタッチスイッチ（例えば、コンデンサ式タッチスイッチ）を含み、該タッチスイッチ上にそれぞれカラーパターンを設け、使用者が該カラーパターン上の任意の色を選択する時、該色温度制御器上に設ける制御部材は、該タッチスイッチ上から出力される該色の信号を受信し、該色の信号に基づき、対応するパルス幅変調信号を出力し、発光ダイオードイルミネーション内の三色（例えば、赤（Ｒ）緑（Ｇ）青（Ｂ））の発光ダイオードの電流及び電圧のうちのいずれか１つを制御し、該発光ダイオードイルミネーションに該色の信号と同一の色温度変化を発生させることである。
【０００７】
本発明のもう１つの目的は、発光ダイオードの色温度制御器及びその色温度制御方法を提供し、該色温度制御器の制御部材が複数の三色発光ダイオードに対して選択を行おうとする時、該色温度制御器上に設ける選択キーを介して、該選択キーの選択信号を受信し、該三色発光ダイオードを選択し、該三色発光ダイオードの色温度制御を行うことができ、且つ該色温度制御器上に設ける複数の表示部材を介して、該選択キーが選択する該三色発光ダイオードの数量を対応して表示し、該制御部材が該三色発光ダイオードに対して再配置を行おうとする時、該色温度制御器上に設ける再配置キーを介して、該三色発光ダイオードの電流及び電圧のうちのいずれか１つを制御し、該電流及び電圧の１つを所定のレベルに到達させることができるようにすることである。
【課題を解決するための手段】
【０００８】
本発明が提供する発光ダイオードの色温度制御器は、発光ダイオードイルミネーション中に応用し、該色温度制御器は、複数のタッチスイッチと、制御部材と、電源供給部材と、を含み、前記複数のタッチスイッチの上にそれぞれカラーパターンをそれぞれ設け、使用者に該カラーパターン上に任意の色を選択させ、該色の信号を、該タッチスイッチを介して出力可能にすることに用い、前記制御部材は、該タッチスイッチが出力する該色の信号を受信し、該色の信号に基づき対応するパルス幅変調信号を出力することに用い、該発光ダイオードイルミネーション内の三色発光ダイオードの電流及び電圧のうちの１つを制御し、該発光ダイオードに該色の信号と同一の色温度変化を発生させることに用い、前記電源供給部材は、該色温度制御器の関連電子部材が必要とする電源を共有することに用いる。
本発明は下記の特徴を有する。
（１）発光ダイオードイルミネーション中に応用する発光ダイオードの色温度制御器であって、該色温度制御器は、複数のタッチスイッチと、制御部材と、電源供給部材と、を含み、
前記複数のタッチスイッチの上にそれぞれカラーパターンをそれぞれ設け、使用者に該カラーパターン上に任意の色を選択させ、該色の信号を、該タッチスイッチを介して出力可能にすることに用い、
前記制御部材は、該タッチスイッチが出力する該色の信号を受信し、該色の信号に基づき対応するパルス幅変調信号を出力することに用い、該発光ダイオードイルミネーション内の三色発光ダイオードの電流及び電圧のうちの１つを制御し、該発光ダイオードに該色の信号と同一の色温度変化を発生させることに用い、
前記電源供給部材は、該色温度制御器の関連電子部材が必要とする電源を共有することに用いる発光ダイオードの色温度制御器。
（２）該制御部材に他の発光ダイオードイルミネーションの複数の三色発光ダイオードを選択させ、該三色発光ダイオードの色温度制御を行わせる選択指令を出力することに用いる選択キーと、
該制御部材が発する表示指令を受信し、該表示指令に基づき、該選択キーが選択する該三色発光ダイオードを表示する複数の表示部材と、
該制御部材に該三色ダイオードの電流及び電圧のうちの１つを再配置させ、該電流及び電圧のうちの１つを所定レベルに到達させる再配置指令を出力することに用いる再配置キーと、
を更に含む（１）記載の発光ダイオードの色温度制御器。
（３）前記タッチスイッチは、複数のコンデンサ式タッチスイッチである（２）記載の発光ダイオードの色温度制御器。
（４）前記カラーパターンの分布は、国際照明委員会ＣＩＥが制定する１９３１ＸＹＺ色彩空間に基づき配置される（２）記載の発光ダイオードの色温度制御器。
（５）前記選択キーは、選択を循環できるプッシュキーであり、該三色発光ダイオードの選択を循環する（２）記載の発光ダイオードの色温度制御器。
（６）前記表示部材が複数の発光ダイオードである（２）記載の発光ダイオードの色温度制御器。
（７）色温度制御器を発光ダイオードイルミネーション中に応用し、且つ該色温度制御器がそれぞれ複数のタッチスイッチと制御部材を含み、該制御部材が該発光ダイオードに対して色温度変化を発生する時、以下のステップ：
該使用者が選択する該カラーパターン上の任意の色を受信し、該タッチスイッチを介して該カラーの信号を出力し；
該色の信号に基づき、その対応するパルス幅変調信号を出力し、該発光ダイオードイルミネーション内の該三色発光ダイオードの電流及び電圧のうちの１つを制御し、該発光ダイオードイルミネーションに該色の信号と同一の色温度変化を発生させる；
を行う発光ダイオードの色温度制御方法。
（８）前記制御部材は、複数の三色発光ダイオードに対して選択を行おうとする時、該使用者が選択した該タッチスイッチ上に設けるカラーパターン上の任意の色を受信し、該タッチスイッチを介して該色信号を出力する前、該色温度制御器上に設ける選択キーを介して、該選択キーの選択信号を受信し、該三色発光ダイオードの色温度制御を行う（７）記載の発光ダイオードの色温度制御方法。
（９）前記制御部材は、選択した該三色発光ダイオードに対して数量表示を行おうとする時、表示指令を出力し、該色温度制御器上に設ける複数の表示部材に、該選択キーが選択する該三色発光ダイオードの数量を対応して表示させることができる（８）記載の発光ダイオードの色温度制御方法。
（１０）前記制御部材が該三色発光ダイオードに対して再配置を行おうとする時、該色温度制御器上に設ける再配置キーを介して、該三色発光ダイオードの電流及び電圧のうちの１つを再配置し、該電流及び電圧のうちの１つを所定のレベルに到達させることができる（８）記載の発光ダイオードの色温度制御方法。
【発明の効果】
【０００９】
本発明の色温度制御器は、発光ダイオードイルミネーション中に応用され、それぞれ、複数のタッチスイッチ及び制御部材を含み、該タッチスイッチ上に設けるカラーパターン上の任意の色が使用者により選択された後、該色の信号を該制御部材に出力し、該制御部材は、対応するパルス幅変調信号を出力し、該発光ダイオードイルミネーション内の三色発光ダイオードの電流及び電圧のうちの１つを制御し、該発光ダイオードイルミネーションに該色の信号と同一の色温度変化を発生させ、従来の発光ダイオードの色温度制御方面の不足を改善し、該発光ダイオードイルミネーションに色の変化に柔軟性を持たせる。
【図面の簡単な説明】
【００１０】
【図１】本発明の色温度制御器の実施例の構造ブロック図である。
【図２】図１の色温度制御フロー図である。
【図３】本発明の色温度制御器の他の実施例の構造ブロック図である。
【図４】図３の色温度制御フロー図１である。
【図５】図３の色温度制御フロー図２である。
【発明を実施するための形態】
【００１１】
本発明の技術的手段及び動作過程を分かり易くするため、実施例を挙げ、図面に併せて以下に詳細に説明を行う。
【００１２】
本発明は、「発光ダイオードの色温度制御器及びその色温度制御方法」であり、図１は、本発明の色温度制御器１の発光ダイオードイルミネーション２中の実施例の構造ブロック図であり、図から分かるように、該色温度制御器１は、それぞれ複数のタッチスイッチ１０（本実施例中、該タッチスイッチ１０は、複数のコンデンサ式タッチスイッチである）と、制御部材１１と、電源供給部材１２と、を含み、該タッチスイッチ１０上にそれぞれカラーパターン１０１をそれぞれ設け、使用者に該カラーパターン１０１上の任意の色を選択させることに用い、該色の信号を、該タッチスイッチ１０を介して出力することができる。
【００１３】
該制御部材１１は、該タッチスイッチ１０が出力する該色の信号を受信することに用い、該色の信号に基づき、対応するパルス幅変調信号（Pulse Width Modulate, PWM）を出力し、該発光ダイオードイルミネーション２内の三色（例えば、赤（Ｒ）緑（Ｇ）青（Ｂ））発光ダイオード２１の電流及び電圧のうち１つを制御し、該発光ダイオードイルミネーション２に該色の信号と同一の色温度変化を発生させる。
【００１４】
該電源供給部材１２は、該色温度制御器１の関連電子部材が必要な電源を供給することに用いる。
【００１５】
本発明において、該カラーパターン１０１の分布は、国際照明委員会ＣＩＥ（Commission Internationale del’Eclairage, CIE）が制定する１９３１ＸＹＺカラー空間に基づき配置する。
【００１６】
図１、図２に示すように、前記該色温度制御器１は、該発光ダイオードイルミネーション２中に応用され、該色温度制御器１上の制御部材１１が該発光ダイオードイルミネーション２に対し、以下の色温度変化のフローステップを発生する：
ステップ２０１：先ず、該使用者が選択する該カラーパターン１０１上の任意の色を受信し、該タッチスイッチ１０を介して該カラーの信号を出力する；
ステップ２０２：該色の信号に基づき、その対応するパルス幅変調信号を出力し、該発光ダイオードイルミネーション２内の該三色発光ダイオード２１の電流及び電圧のうちの１つを制御し、該発光ダイオードイルミネーション２に該色の信号と同一の色温度変化を発生させ、このように、一回の該発光ダイオードイルミネーション２に対し色温度変化を発生するフローステップを完成する。
【００１７】
図３は、本発明の他の色温度制御器３を他の発光ダイオードイルミネーション４中に応用した他の実施例の構造ブロック図であり、図から分かるように、該他の色温度制御器３は、前記図１中に示す該複数のタッチスイッチ１０と、該制御部材１１と、該電源供給部材１２を有する以外に、更にそれぞれ選択キー３１と、複数の表示部材３２と、再配置キー３３と、を含み、そのうち、該選択キー３１は、該制御部材１１に該他の発光ダイオードイルミネーション４の複数の三色発光ダイオード４１を選択させ、該三色発光ダイオード４１の色温度制御を行わせる選択指令を出力することに用いる。
【００１８】
該表示部材３２は、該制御部材１１が発する表示指令を受信し、該選択キー３１が選択する該三色発光ダイオード４１の数量を対応して表示することに用いる。
【００１９】
該再配置キー３３は、該制御部材１１に該三色発光ダイオード４１の電流及び電圧のうちの１つを制御させ、該電流及び電圧のうちの１つを所定のレベルまで到達させる再配置指令を出力することに用いる。
【００２０】
本発明において、該選択キー３１が該他の発光ダイオードイルミネーション４の複数の三色発光ダイオード４１に応用される時、選択を循環するプッシュキーを設計し、該三色発光ダイオード４１の数量の選択を循環し、例えば、該三色ダイオード４１の数量が三個である時、該選択キー３１は、以下の型式に設計できる：
１回押した時、１つ目の三色発光ダイオード４１を選択し；
２回押した時、２つ目の三色発光ダイオード４１を選択し；
３回押した時、３つ目の三色発光ダイオード４１を選択し；
４回押した時、同時に１つ目と２つ目の三色発光ダイオード４１を選択し；
５回押した時、同時に１つ目と３つ目の三色発光ダイオード４１を選択し；
６回押した時、同時に２つ目と３つ目の三色発光ダイオード４１を選択し；
７回押した時、同時に１つ目と２つ目と３つ目の三色発光ダイオード４１を選択し；
８回押した時、該制御部材１１が該三色発光ダイオード４１を選択する作用を有さない。
【００２１】
図３、図４に示すように、前記他の色温度制御器３は、該他の発光ダイオードイルミネーション４中に応用され、該他の色温度制御器３の制御部材１１は、それぞれ該選択キー３１を介して該他の発光ダイオードイルミネーション４の複数の三色発光ダイオード４１の選択を行い、該表示部材３２は、該三色発光ダイオード４１の数量表示を行い、該発光ダイオードイルミネーション４に対して以下の色温度変化のフローステップを発生する：
ステップ４０１：先ず、該選択キー３１の選択信号を受信し、該他の発光ダイオードイルミネーション４の複数の三色発光ダイオード４１を選択し、該三色発光ダイオード４１の色温度制御を行い；
ステップ４０２：該表示指令を出力し、該表示部材３２に該選択キー３１が選択する該三色発光ダイオード４１の数量を対応して表示し；
ステップ４０３：該使用者は、該カラーパターン１０１上の任意の色を選択する受信し、該タッチスイッチ１０を介して該色の信号を出力し；
ステップ４０４：該色の信号に基づき、その対応するパルス幅変調信号を出力し、該発光ダイオードイルミネーション４内の該三色発光ダイオード４１の電流及び電圧のうちの１つを制御し、該発光ダイオードイルミネーション４に該色の信号と同一の色温度変化を発生し、このように、該三色発光ダイオード４１の数量表示、及び該発光ダイオードイルミネーション４に対する色温度変化のフローステップをそれぞれ完成する。
【００２２】
本発明において、図４及び図５に示すように、前記ステップ４０４の後、該制御部材１１は、該三色発光ダイオード４１の電流及び電圧のうちの１つに対して以下のフローステップの再配置ステップを更に発生することができる：
ステップ４０５：該再配置キー３３の再配置信号を受信し、該三色発光ダイオード４１の電流及び電圧のうちの１つを再配置し、該電流及び電圧のうちの１つを所定のレベルまで到達させ、このように、該三色発光ダイオード４１の電流及び電圧のうちの１つの再配置を完成する。
【００２３】
上記から分かるように、本発明の従来技術と相違する箇所は、以下にある：本発明の色温度制御器１及び該他の色温度制御器３は、それぞれ該発光ダイオードイルミネーション２及び該他の発光ダイオードイルミネーション４中に応用され、該制御部材１１を利用し、該発光ダイオードイルミネーション２及び該他の発光ダイオードイルミネーション４の色温度制御を効率的に行い、従来の発光ダイオードイルミネーションの色温度制御方面の不足を改善し、該発光ダイオードイルミネーション２及び該他の発光ダイオードイルミネーション４に色の変化に柔軟性を持たせ、それぞれ該選択キー３１を利用し、該他の発光ダイオードイルミネーション４の複数の三色発光ダイオード４１の選択を行い、該制御部材１１に該三色発光ダイオード４１の色温度制御を行わせ、該表示部材３２に該三色発光ダイオード４１の数量表示を行わせることができる。
【００２４】
従って、本発明の該色温度制御器１及び該他の色温度制御器３は、新規性、進歩性及び実用性を具備し、色変化において、柔軟性を有し、同時に関連産業（例えば、照明産業、光電産業、観光産業等）において何れも極めて応用価値性を備える。
【００２５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２６】
１  色温度制御器
１０  タッチスイッチ
１０１  カラーパターン
１１  制御部材
１２  電源供給部材
２  発光ダイオードイルミネーション
２１，４１  三色発光ダイオード
３１  選択キー
３２  表示部材
３３  再配置キー
３  他の色温度制御器
４  他の発光ダイオードイルミネーション
【図１】
2010056085.tif 000003
【図２】
2010056085.tif 000004
【図３】
2010056085.tif 000005
【図４】
2010056085.tif 000006
【図５】
2010056085.tif 000007